(57)【要約】【課題】再転写による印刷媒体の汚れを防止する。【解決手段】印刷媒体の一方の面を印刷する第１の印刷部４と、一方の面が印刷された印刷媒体を反転させる反転部と、反転された印刷媒体の他方の面を印刷する第２の印刷部５と、印刷媒体の片面印刷又は両面印刷の設定が可能な片面両面設定部２０ａと、孔版原紙を加熱穿孔することにより第１の印刷部４が印刷するための第１の孔版原紙及び第２の印刷部５が印刷するための第２の孔版原紙のうち少なくともいずれか一方を製版する製版部６と、片面両面設定部２０ａにより両面印刷が設定された場合に、第１の孔版原紙を製版するために読み込まれた画像データに対して間引き処理を行うことにより間引き画像データを生成する画像間引き部２０ｂとを備える。【選択図】図６
2010173097.tif 000002
【特許請求の範囲】
【請求項１】
印刷媒体の一方の面を印刷する第１の印刷手段と、
前記第１の印刷手段により一方の面が印刷された印刷媒体を反転させる反転手段と、
前記反転手段により反転された印刷媒体の他方の面を印刷する第２の印刷手段と、
前記印刷媒体の片面印刷又は両面印刷の設定が可能な片面両面設定手段と、
孔版原紙を加熱穿孔することにより前記第１の印刷手段が印刷するための第１の孔版原紙及び前記第２の印刷手段が印刷するための第２の孔版原紙のうち少なくともいずれか一方を製版する製版手段と、
前記片面両面設定手段により両面印刷が設定された場合に、前記第１の孔版原紙を製版するために読み込まれた画像データに対して間引き処理を行うことにより間引き画像データを生成する画像間引き手段と、
前記画像間引き手段により生成された間引き画像データに基づいて、前記製版手段を制御する製版制御手段と、
を備えることを特徴とする両面孔版印刷装置。
【請求項２】
前記画像間引き手段は、
前記片面両面設定手段により両面印刷が設定された場合に、前記第２の孔版原紙を製版するために読み込まれた画像データに対して間引き処理を行うことにより間引き画像データを生成する
ことを特徴とする請求項１記載の両面孔版印刷装置。
【請求項３】
前記製版制御手段は、
前記間引き画像データに基づいて、前記第１の孔版原紙を加熱穿孔する際の印加エネルギーの総和を、前記片面両面設定手段により片面印刷が設定された場合において前記第１の孔版原紙を加熱穿孔する際の印加エネルギーの総和の１／２より大きくなるように前記製版手段を制御する
ことを特徴とする請求項１記載の両面孔版印刷装置。
【請求項４】
前記製版制御手段は、
前記間引き画像データに基づいて、前記第２の孔版原紙を加熱穿孔する際の印加エネルギーの総和を、前記片面両面設定手段により片面印刷が設定された場合において前記第２の孔版原紙を加熱穿孔する際の印加エネルギーの総和の１／２より大きくなるように前記製版手段を制御する
ことを特徴とする請求項２記載の両面孔版印刷装置。
【請求項５】
前記製版制御手段は、
前記間引き画像データにおける前記画像間引き手段により間引かれなかった画素に対して、前記片面両面設定手段により片面印刷が設定された場合において前記第１の孔版原紙を加熱穿孔する際の印加エネルギーより大きい印加エネルギーで前記第１の孔版原紙を加熱するように前記製版手段を制御する
ことを特徴とする請求項３記載の両面孔版印刷装置。
【請求項６】
前記製版制御手段は、
前記間引き画像データにおける前記画像間引き手段により間引かれなかった画素に対して、前記片面両面設定手段により片面印刷が設定された場合において前記第２の孔版原紙を加熱穿孔する際の印加エネルギーより大きい印加エネルギーで前記第２の孔版原紙を加熱するように前記製版手段を制御する
ことを特徴とする請求項４記載の両面孔版印刷装置。
【請求項７】
前記製版制御手段は、
前記間引き画像データにおける前記画像間引き手段により間引かれた画素に対して、前記第１の孔版原紙が穿孔される印加エネルギー未満である予熱印加エネルギーで前記第１の孔版原紙を加熱するように前記製版手段を制御する
ことを特徴とする請求項３記載の両面孔版印刷装置。
【請求項８】
前記製版制御手段は、
前記間引き画像データにおける前記画像間引き手段により間引かれた画素毎に、その画素の周辺画素における前記間引き画像データに基づいて、前記予熱印加エネルギーで前記第１の孔版原紙を製版する際の予備加熱通電パルス幅を決定する
ことを特徴とする請求項７記載の両面孔版印刷装置。
【請求項９】
前記製版制御手段は、
前記間引き画像データにおける前記画像間引き手段により間引かれた画素に対して、前記第２の孔版原紙が穿孔される印加エネルギー未満である予熱印加エネルギーで前記第２の孔版原紙を加熱するように前記製版手段を制御する
ことを特徴とする請求項４記載の両面孔版印刷装置。
【請求項１０】
前記製版制御手段は、
前記間引き画像データにおける前記画像間引き手段により間引かれた画素毎に、その画素の周辺画素における前記間引き画像データに基づいて、前記予熱印加エネルギーで前記第２の孔版原紙を製版する際の予備加熱通電パルス幅を決定する
ことを特徴とする請求項９記載の両面孔版印刷装置。
【発明の詳細な説明】
【技術分野】
【０００１】
本発明は印刷媒体の片面印刷又は両面印刷の選択が可能な両面孔版印刷装置に係り、特に、両面印刷が選択された場合に、印刷媒体の汚れを防止し良好な印刷媒体を得ることができる両面孔版印刷装置に関する。
【背景技術】
【０００２】
一般的に、製版された孔版原紙をドラムに巻き付けた後、印刷用紙をこのドラムに給紙し、この供給された印刷用紙をプレスローラによりドラムに圧接することにより印刷を行う孔版印刷装置が良く知られている。
【０００３】
このような孔版印刷装置において、特許文献１には、印刷用紙の両面印刷が可能な両面孔版印刷装置が提案されている。具体的には、読み込まれた第１の画像に基づいて製版された第１の孔版原紙を第１のドラムに巻き付けると共に、読み込まれた第２の画像に基づいて製版された第２の孔版原紙を第２のドラムに巻き付ける。そして、印刷用紙をこの第１のドラムに給紙し、印刷用紙を第１のプレスローラにより第１のドラムに圧接することで第１の画像を印刷用紙の表面に印刷する。更に、この印刷された印刷用紙の表裏を反転させた後、第２のドラムへ搬送し、印刷用紙を第２のプレスローラにより第２のドラムに圧接することで第２の画像を印刷用紙の裏面に印刷する両面孔版印刷装置が提案されている。
【先行技術文献】
【特許文献】
【０００４】
【特許文献１】特開２００５−２９３７５号公報
【発明の概要】
【発明が解決しようとする課題】
【０００５】
しかしながら、特許文献１に記載の両面孔版印刷装置では、印刷用紙を第２のプレスローラにより第２のドラムに圧接するので、印刷用紙の表面に印刷された第１の画像が第２のプレスローラに転写され、この第２のプレスローラに転写された第１の画像が、印刷用紙に転写されること（以下、再転写という）により印刷用紙の表面が汚れる場合があった。
【０００６】
本発明は、上記課題に鑑みてなされたものであり、再転写による印刷媒体の汚れを防止する２ドラム式の両面孔版印刷装置を提供することを目的とする。
【課題を解決するための手段】
【０００７】
上記目的を達成するため、本発明に係る両面孔版印刷装置の第１の特徴は、印刷媒体の一方の面を印刷する第１の印刷手段と、前記第１の印刷手段により一方の面が印刷された印刷媒体を反転させる反転手段と、前記反転手段により反転された印刷媒体の他方の面を印刷する第２の印刷手段と、前記印刷媒体の片面印刷又は両面印刷の設定が可能な片面両面設定手段と、孔版原紙を加熱穿孔することにより前記第１の印刷手段が印刷するための第１の孔版原紙及び前記第２の印刷手段が印刷するための第２の孔版原紙のうち少なくともいずれか一方を製版する製版手段と、前記片面両面設定手段により両面印刷が設定された場合に、前記第１の孔版原紙を製版するために読み込まれた画像データに対して間引き処理を行うことにより間引き画像データを生成する画像間引き手段と、前記画像間引き手段により生成された間引き画像データに基づいて、前記製版手段を制御する製版制御手段とを備えることにある。
【０００８】
上記目的を達成するため、本発明に係る両面孔版印刷装置の第２の特徴は、前記画像間引き手段は、前記片面両面設定手段により両面印刷が設定された場合に、前記第２の孔版原紙を製版するために読み込まれた画像データに対して間引き処理を行うことにより間引き画像データを生成することにある。
【０００９】
上記目的を達成するため、本発明に係る両面孔版印刷装置の第３の特徴は、前記製版制御手段は、前記間引き画像データに基づいて、前記第１の孔版原紙を加熱穿孔する際の印加エネルギーの総和を、前記片面両面設定手段により片面印刷が設定された場合において前記第１の孔版原紙を加熱穿孔する際の印加エネルギーの総和の１／２より大きくなるように前記製版手段を制御することにある。
【００１０】
上記目的を達成するため、本発明に係る両面孔版印刷装置の第４の特徴は、前記製版制御手段は、前記間引き画像データに基づいて、前記第２の孔版原紙を加熱穿孔する際の印加エネルギーの総和を、前記片面両面設定手段により片面印刷が設定された場合において前記第２の孔版原紙を加熱穿孔する際の印加エネルギーの総和の１／２より大きくなるように前記製版手段を制御することにある。
【００１１】
上記目的を達成するため、本発明に係る両面孔版印刷装置の第５の特徴は、前記製版制御手段は、前記間引き画像データにおける前記画像間引き手段により間引かれなかった画素に対して、前記片面両面設定手段により片面印刷が設定された場合において前記第１の孔版原紙を加熱穿孔する際の印加エネルギーより大きい印加エネルギーで前記第１の孔版原紙を加熱するように前記製版手段を制御することにある。
【００１２】
上記目的を達成するため、本発明に係る両面孔版印刷装置の第６の特徴は、前記製版制御手段は、前記間引き画像データにおける前記画像間引き手段により間引かれなかった画素に対して、前記片面両面設定手段により片面印刷が設定された場合において前記第２の孔版原紙を加熱穿孔する際の印加エネルギーより大きい印加エネルギーで前記第２の孔版原紙を加熱するように前記製版手段を制御することにある。
【００１３】
上記目的を達成するため、本発明に係る両面孔版印刷装置の第７の特徴は、前記製版制御手段は、前記間引き画像データにおける前記画像間引き手段により間引かれた画素に対して、前記第１の孔版原紙が穿孔される印加エネルギー未満である予熱印加エネルギーで前記第１の孔版原紙を加熱するように前記製版手段を制御することにある。
【００１４】
上記目的を達成するため、本発明に係る両面孔版印刷装置の第８の特徴は、前記製版制御手段は、前記間引き画像データにおける前記画像間引き手段により間引かれた画素毎に、その画素の周辺画素における前記間引き画像データに基づいて、前記予熱印加エネルギーで前記第１の孔版原紙を製版する際の予備加熱通電パルス幅を決定することにある。
【００１５】
上記目的を達成するため、本発明に係る両面孔版印刷装置の第９の特徴は、前記製版制御手段は、前記間引き画像データにおける前記画像間引き手段により間引かれた画素に対して、前記第２の孔版原紙が穿孔される印加エネルギー未満である予熱印加エネルギーで前記第２の孔版原紙を加熱するように前記製版手段を制御することにある。
【００１６】
上記目的を達成するため、本発明に係る両面孔版印刷装置の第１０の特徴は、前記製版制御手段は、前記間引き画像データにおける前記画像間引き手段により間引かれた画素毎に、その画素の周辺画素における前記間引き画像データに基づいて、前記予熱印加エネルギーで前記第２の孔版原紙を製版する際の予備加熱通電パルス幅を決定することにある。
【発明の効果】
【００１７】
本発明に係る両面孔版印刷装置によれば、再転写による印刷媒体の汚れを防止することができる。
【図面の簡単な説明】
【００１８】
【図１】本発明の実施例１である両面孔版印刷装置の構成を示した構成図である。
【図２】本発明の実施例１に係る両面孔版印刷装置の機能構成を示した機能構成図である。
【図３】本発明の実施例１である両面孔版印刷装置が備える操作部における操作キー及び表示／入力パネルの配置の一例を示した図である。
【図４】本発明の実施例１である両面孔版印刷装置が備える加熱条件テーブル記憶部に記憶された加熱条件テーブルの一例を示した図である。
【図５】本発明の実施例１である両面孔版印刷装置が備える画素パターンテーブル記憶部に記憶された画素パターンテーブルの一例を示した図である。
【図６】本発明の実施例１に係る両面孔版印刷装置の制御部の構成を説明した図である。
【図７】本発明の実施例１に係る両面孔版印刷装置の制御部の画像間引き部による間引き処理を説明した図である。
【図８】本発明の実施例１に係る両面孔版印刷装置の周辺画素アドレス生成部による周辺画素アドレスの生成を説明した図である。
【図９】本発明の実施例１に係る両面孔版印刷装置の予備加熱コード決定部による予備加熱コードの決定処理を説明した図である。
【図１０】本発明の実施例１である両面孔版印刷装置が備える製版部のサーマルヘッドの構成を示している。
【図１１】本発明の実施例１に係る両面孔版印刷装置の間引き画像データＤＡＴ（ＤＡＴ１〜ＤＡＴ４）、クロック信号ＣＬＫ（ＣＬＫ１〜ＣＬＫ４）、ラッチ信号ＬＡＴ（ＬＡＴ１〜ＬＡＴ４）、及びストローブ信号ＳＴＢ（ＳＴＢ１〜ＳＴＢ４）のタイミングを示すタイミングチャートである。
【図１２】本発明の実施例１である両面孔版印刷装置の処理フローを示したフローチャートである。
【図１３】本発明の実施例１である両面孔版印刷装置が備える操作部の表示／入力パネルに表示された両面／片面モード選択画面の一例を示した図である。
【図１４】本発明の実施例１である両面孔版印刷装置が備える表示／入力パネル上に表示された仕上がりモード選択画面の一例を示した図である。
【図１５】本発明の実施例１である両面孔版印刷装置において製版を行った孔版原紙Ｇの穿孔の状態を説明した図である。
【図１６】本発明の実施例２に係る両面孔版印刷装置の制御部の画像間引き部による間引き処理を説明した図である。
【図１７】本発明の実施例２である両面孔版印刷装置において製版を行った孔版原紙Ｇの穿孔の状態を説明した図である。
【図１８】本発明の実施例３に係る両面孔版印刷装置が備える加熱条件テーブル記憶部に記憶された加熱条件テーブルの一例を示した図である。
【図１９】本発明の実施例３に係る両面孔版印刷装置の制御部の構成を説明した図である。
【発明を実施するための形態】
【００１９】
本発明を実施するための形態について以下に説明する。
【実施例１】
【００２０】
本発明の実施例１では、上流側のドラムにより印刷用紙（印刷媒体）の表面を印刷し、下流側のドラムにより印刷用紙の裏面を印刷する２ドラム式の両面孔版印刷装置であって、両面印刷が設定された場合に、画像データの間引き処理を行うと共に、間引かれた画素に対して、孔版原紙が穿孔される印加エネルギー未満である予熱印加エネルギーで孔版原紙を加熱することにより製版する両面孔版印刷装置を例に挙げて説明する。
【００２１】
＜両面孔版印刷装置の構成＞
本発明の実施例１である両面孔版印刷装置の構成について説明する。
【００２２】
図１は、本発明の実施例１である両面孔版印刷装置の構成を示した構成図である。
【００２３】
図１に示すように、両面孔版印刷装置１は、画像読み取り部２と、給紙部３と、第１の印刷部４と、第２の印刷部５と、製版部６と、第１の排版部８と、第２の排版部９と、反転部１０と、排紙部１１とを備えている。
【００２４】
画像読み取り部２は、両面孔版印刷装置１の上部に設けられ、図示しないが、原稿を載置するコンタクトガラス、このコンタクトガラスに対して接離自在に設けられたカバー、コンタクトガラス上に載置された原稿を走査する走査ユニット、走査された画像を集束するレンズ、及び集束された画像を処理する画像処理部を備えている。
【００２５】
そして、画像読み取り部２は、載置された原稿から画像データを読み取る。具体的には、走査ユニットが原稿を走査し、後述する第１の印刷部４が印刷するための表面の画像データ、及び後述する第２の印刷部５が印刷するための裏面の画像データを取り込み、画像処理部がこの取り込んだ画像データを画素毎に二値化処理することにより、“１”又は“０”で表される画像データを生成する。
【００２６】
製版部６は、ロールされた長尺状の孔版原紙Ｇを収容する原紙収容部６１と、この原紙収容部６１の搬送下流に配置され、孔版原紙Ｇを加熱穿孔するサーマルヘッド６２と、このサーマルヘッド６２の対向位置に配置されたプラテンロール６３と、このプラテンロール６３及びサーマルヘッド６２の搬送下流に配置された一対の原紙送りロール６４と、一対の原紙送りロール６４の搬送下流に配置された原紙カッタ６５とを有する。
【００２７】
そして、製版部６は、プラテンロール６３と原紙送りロール６４の回転により長尺状の孔版原紙Ｇを搬送し、画像読み取り部２により読み取られた表面又は裏面の画像データ、又は後述する制御部２０により間引き処理された間引き画像データに基づき、サーマルヘッド６２の各点状発熱体が選択的に発熱動作することにより孔版原紙Ｇに加熱穿孔して製版し、この製版された孔版原紙Ｇを原紙カッタ６５で切断して所定長さの孔版原紙Ｇを作製する。
【００２８】
また、製版部６は、図示しないレールによって図１におけるＸ方向に移動自在に支持されている。製版部６は、図示しない製版部駆動部によりレール上を移動することにより、後述する第１の印刷部４に製版した孔版原紙Ｇを供給する破線で示した位置と、後述する第２の印刷部５に製版した孔版原紙Ｇを供給する実線で示した位置とを選択的に占める。
【００２９】
第１の排版部８は、後述する第１の印刷部４の第１のドラム４１の外周面よりクランプ解除された孔版原紙Ｇを第１のドラム４１より引き剥がし、引き剥がされた孔版原紙Ｇを排版ボックス（図示しない）内に収納する。
【００３０】
第２の排版部９は、第１の排版部８と同様に、後述する第２の印刷部５の第２のドラム５１の外周面よりクランプ解除された孔版原紙Ｇを第２のドラム５１より引き剥がし、引き剥がされた孔版原紙Ｇを排版ボックス（図示しない）内に収納する。
【００３１】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１の印刷部４の第１のドラム４１の回転に同期して第１のドラム４１と第１のプレスローラ４３間に搬送する一対の２次給紙ロール３３とを有する。
【００３２】
第１の印刷部４は、メインモータ（図示しない）の駆動力によって図１の矢印Ａ方向に回転する第１のドラム４１と、この第１のドラム４１の外周面に設けられ、孔版原紙Ｇの先端をクランプする原紙クランプ部４２と、印刷用紙Ｗを反転部１０へ搬送する搬送ベルト４４とを備えている。
【００３３】
また、第１の印刷部４は、第１のドラム４１の下方位置に配置された第１のプレスローラ４３を有し、この第１のプレスローラ４３は第１のドラム４１の外周面に押圧する押圧位置と、第１のドラム４１の外周面から離間する待機位置との間で変移可能に構成されている。第１のプレスローラ４３は、印刷モードの期間（試し刷りを含む）にあっては押圧位置に常時位置され、印刷モード以外の期間にあっては待機位置に位置されるようになっている。
【００３４】
そして、製版部６から搬送される孔版原紙Ｇの先端を原紙クランプ部４２でクランプし、このクランプした状態で第１のドラム４１が回転されて孔版原紙Ｇが第１のドラム４１の外周面に巻き付け装着される。そして、第１のドラム４１の回転に同期して給紙部３より給紙される印刷用紙Ｗを第１のプレスローラ４３で第１のドラム４１に巻装された孔版原紙Ｇに押圧することによって、孔版原紙Ｇの穿孔からインクが押し出されて画像が印刷装置Ｗの表面に印刷されるようになっている。
【００３５】
第１のプレスローラ４３が第１のドラム４１に押圧することによって表面に画像が印刷された印刷用紙Ｗは、両端が一対の回転軸に巻きかけられた環状の搬送ベルト４４によって反転部１０に搬送される。
【００３６】
反転部１０は、第１の印刷部４に対して印刷用紙Ｗの搬送方向下流側に配置され、多孔構造に形成された環状の反転ベルト１０１が半円形状に配置されている。この反転ベルト１０１は、半円形状の補助部材１０２と一対のローラ１０３，１０４に巻きかけられ、一対のローラ１０３，１０４のうち少なくとも一方のローラが駆動モータ（不図示）で回転駆動される。また、反転ベルト１０１の内部には、吸引部１０５が設けられ、印刷用紙Ｗを反転ベルト１０１側に吸引する。反転ベルト１０１の上方に搬送された印刷用紙Ｗの印刷されていない他方の面を吸引して反転ベルト１０１を下方に向けて回転させることにより、印刷用紙Ｗの印刷された表面と印刷されていない裏面とを反転させ、この印刷用紙Ｗが反転された状態で積載台１０６に印刷用紙Ｗを搬送する。
【００３７】
積載台１０６には、表面と裏面とが反転された印刷用紙Ｗが積載される。
【００３８】
また、この積載台１０６は、複数枚の印刷用紙Ｗを積載できるようになっており、第１の印刷部４で表面に印刷された印刷用紙Ｗを積載台１０６に積載させて一時的に滞留させることでインクの乾燥時間を確保している。また、積載台１０６に所定枚数の印刷用紙Ｗが積載されると、積載された印刷用紙Ｗは、両端が一対の回転軸に巻きかけられた環状の中間搬送ベルト１０７によって搬送される。
【００３９】
中間搬送ベルト１０７は、多孔構造に形成され、内部に設けられた吸引手段１０８によって積載台１０６の最も下側に存在しているものから順に１枚ずつ吸引して印刷用紙Ｗを搬送する。また、搬送された印刷用紙Ｗは、中間搬送ベルト１０７に対して印刷用紙Ｗの搬送方向下流側に配置された一対のローラ１０９によって第２の印刷部５に搬送される。
【００４０】
第２の印刷部５は、第１の印刷部４と同様に、図１の矢印Ａ方向に回転する第２のドラム５１と、この第２のドラム５１の外周面に設けられ、孔版原紙Ｇの先端をクランプする原紙クランプ部５２と、第２のドラム５１の下方位置に配置された第２のプレスローラ５３とを有している。更に、第２の印刷部５は、反転部１０により反転された印刷用紙Ｗを第２のドラム５１の回転に同期して第２のドラム５１と第２のプレスローラ５３間に搬送する一対の２次給紙ロール５４を有している。
【００４１】
そして、第２の印刷部５は、第１の印刷部４と同様に、第２のドラム５１の回転に同期して一対の２次給紙ロール５４より給紙される印刷用紙Ｗを第２のプレスローラ５３で第２のドラム５１に巻装された孔版原紙Ｇに押圧することによって、孔版原紙Ｇの穿孔からインクが押し出されて画像が印刷用紙Ｗの裏面に印刷されるようになっている。
【００４２】
排紙部１１は、印刷された印刷用紙Ｗが搬送される排紙ベルト１１１と、排紙ベルト１１１より排紙される印刷用紙Ｗが載置される排紙台１１２とを有する。
【００４３】
図２は、本発明の実施例１に係る両面孔版印刷装置１の機能構成を示した機能構成図である。
【００４４】
図２に示すように、本発明の実施例１に係る両面孔版印刷装置１は、画像読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５と、加熱条件テーブル記憶部１６と、画素パターンテーブル記憶部１７と、制御部２０とを備えている。
【００４５】
これらの構成のうち、画像読み取り部２と、給紙部３と、第１の印刷部４と、第２の印刷部５と、製版部６と、第１の排版部８と、第２の排版部９と、反転部１０と、排紙部１１とについては、上述したので、説明を省略する。
【００４６】
ＲＡＭ１２は、揮発性半導体等で構成され、制御部２０が各種処理を実行する上で必要なデータ等を記憶する。
【００４７】
ＲＯＭ１３は、不揮発性半導体等で構成され、制御部２０が実行する各種制御プログラム等を記憶している。
【００４８】
操作部１５は、操作キーや表示／入力パネル等を備えており、利用者によって操作キーが押下操作され、又は表示／入力パネルがタッチ操作されることによって、操作信号を生成し、生成した操作信号を制御部２０へ供給する。
【００４９】
図３は、操作部１５における操作キー及び表示／入力パネルの配置の一例を示した図である。
【００５０】
図３に示すように、操作部１５は、製版や印刷などを開始させるための製版／印刷スタートキー２０１、動作中の製版や印刷などを停止させるためのストップキー２０２、片面モード又は両面モードを選択するための両面／片面モードキー２０３、印刷速度を設定するための速度キー２０４、及び印刷濃度を設定するための濃度キー２０５等の操作キーと、表示／入力パネル２０６とを備えている。
【００５１】
表示／入力パネル２０６は、両面孔版印刷装置１が製版処理又は印刷処理を実行する上で必要な様々な情報を表示する。例えば、印刷用紙Ｗの両面を印刷するか片面を印刷するかを設定するための両面／片面モード選択画面や、両面印刷が設定された場合に、印刷用紙Ｗの両面印刷の仕上がり状態を設定するための仕上がりモード選択画面等を表示する。
【００５２】
図２に示す加熱条件テーブル記憶部１６は、利用者の操作による設定に応じたサーマルヘッド６２の加熱条件を加熱条件テーブルとして記憶する。
【００５３】
図４は、加熱条件テーブル記憶部１６に記憶された加熱条件テーブルの一例を示した図である。
【００５４】
図４に示すように、印刷設定３０４として、通常印刷時３０１及び間引き印刷時３０２毎に、加熱条件である予備加熱通電パルス幅３０６、通電パルス幅３０７、及び印加パワー３０８とが関連づけられて記憶されている。なお、間引き印刷時３０２では、画素の信号が“１”である黒画素、又は画素の信号が“０”である白画素かを示す画素値３０５毎に、加熱条件が記憶されている。また、予備加熱通電パルス幅３０６は、予備加熱コードであるＰＴＰ１、ＰＴＰ２、及びＰＴＰ３毎に記憶されている。
【００５５】
図２に示す画素パターンテーブル記憶部１７は、注目画素に対する周辺画素アドレスと予備加熱コードとを関連づけて、画素パターンテーブルとして記憶する。
【００５６】
図５は、画素パターンテーブル記憶部１７に記憶された画素パターンテーブルの一例を示した図である。
【００５７】
図５に示すように、注目画素に対する周辺画素アドレス４０１と、予備加熱コード４０２とが関連づけられて画素パターンテーブルとして記憶されている。
【００５８】
ここで、注目画素とは、第１の印刷部４が印刷するための表面の間引き画像データ、又は第２の印刷部５が印刷するための裏面の間引き画像データの画素のうちある１つの画素のことであり、この注目画素に対する周辺画素とは、注目画素に隣接する６つの画素のことをいう。そして、周辺画素アドレス４０１とは、注目画素と周辺画素における間引き画像データのことである。
【００５９】
なお、注目画素に対する周辺画素アドレス４０１と予備加熱コード４０２とは、注目画素の上下方向（副走査方向）又は左右方向（主走査方向）に隣接する黒画素の数に応じて予め決定され、画素パターンテーブルとして記憶されている。この注目画素に対する周辺画素アドレス４０１と予備加熱コード４０２との関連付けについては、後述する。
【００６０】
図２に示す制御部２０は、両面孔版印刷装置１の中枢的な制御を行う。
【００６１】
図６は、本発明の実施例１に係る両面孔版印刷装置１の制御部２０の構成を説明した図である。
【００６２】
図６に示すように、制御部２０は、その機能上、片面両面設定部２０ａと、画像間引き部２０ｂと、周辺画素アドレス生成部２０ｃと、製版制御部２０ｄとを備えている。
【００６３】
片面両面設定部２０ａは、利用者の操作により操作部１５から供給された操作信号に基づいて、片面モード又は両面モードを設定する。また、片面両面設定部２０ａは、利用者の操作により操作部１５から供給された操作信号に基づいて、両面均一モード又は裏面重視モードを設定する。
【００６４】
画像間引き部２０ｂは、片面両面設定部２０ａにより両面印刷が設定された場合に、画像読み取り部２により読み取られた画像データを主走査方向１ライン単位で間引き処理を行うことで間引き画像データを生成する。
【００６５】
図７は、本発明の実施例１に係る両面孔版印刷装置１の制御部２０の画像間引き部２０ｂによる間引き処理を説明した図である。
【００６６】
図７では、画像読み取り部２により読み取られた画像データがベタ部を含む場合において、画像間引き部２０ｂにより間引き処理された間引き画像データを示している。
【００６７】
画像読み取り部２により読み取られた画像データのベタ部について、間引き結果に示すように、主走査１ライン単位で黒画素ライン及び白画素ラインが交互になるように間引かれる。
【００６８】
図６に示す周辺画素アドレス生成部２０ｃは、画像間引き部２０ｂにより間引かれた間引き画像データが供給されると、この供給された間引き画像データを主走査方向及び副走査方向に注目画素を移動し、注目画素及び周辺画素のデータに基づいて、全ての画素に対して周辺画素アドレスを生成する。
【００６９】
図８は、周辺画素アドレス生成部２０ｃによる周辺画素アドレスの生成を説明した図である。
【００７０】
図８に示すように、周辺画素アドレス生成部２０ｃは、Ａ６で示す画素が注目画素５０１とした場合、Ａ０〜Ａ５を周辺画素５０２ａ〜５０２ｆとする。そして、周辺画素アドレス生成部２０ｃは、注目画素５０１、周辺画素５０２ａ、周辺画素５０２ｂ、周辺画素５０２ｃ、周辺画素５０２ｄ、周辺画素５０２ｅ、周辺画素５０２ｆの順に、間引き画像データ（“１”又は“０”）を抽出し、この抽出された間引き画像データと注目画素５０１の間引き画像データとを周辺画素アドレス４０１として生成する。
【００７１】
例えば、（Ａ６，Ａ５，Ａ４，Ａ３，Ａ２，Ａ１，Ａ０）＝（０，０，０，０，１，１，１）である場合、周辺画素アドレス生成部２０ｃは、周辺画素アドレス４０１として、“００００１１１”を生成する。
【００７２】
そして、周辺画素アドレス生成部２０ｃは、注目画素５０１を１画素分だけ主走査方向、即ちＹ方向に移動し、Ｙ方向に隣接する画素を注目画素として、同様に周辺画素アドレスを生成する。このようにして、間引き画像データの全ての画素に対して周辺画素アドレスを生成する。
【００７３】
ここで、原稿読み取り部２により読み取られた画像データには、例えば文字等のベタ部や写真等のグラデーション部が混在している場合があり、このような画像データに基づいてサーマルヘッド６２が加熱穿孔することにより孔版原紙Ｇを製版する場合、特に、グラデーション部のハイライト部分において、孤立点が生じることになる。
【００７４】
この孤立点ではベタ部に比べて孔版原紙Ｇの蓄熱量が小さくなるため、画像間引き部２０ｂにより間引き処理を行う場合、孤立点における穿孔径のばらつきや不発率が、ベタ部における穿孔径のばらつきや不発率より高くなる場合がある。
【００７５】
また、画像間引き部２０ｂにより画像データが間引かれるので、孔版原紙Ｇの蓄熱量が少なくなり、ベタ部において十分なベタ埋まりを実現できず、孔版原紙Ｇに和紙目が顕在化したりする場合もあった。
【００７６】
そこで、図６に示す製版制御部２０ｄは、不発や穿孔径のばらつきが少なく和紙目が目立たない良好な品質の孔版原紙Ｇを製版するように、製版部６を制御する。
【００７７】
即ち、製版制御部２０ｄは、画像間引き部２０ｂにより間引かれた間引き画像データに基づいて、孔版原紙Ｇを加熱穿孔する際の印加エネルギーの総和を、片面印刷設定時、即ち間引き処理されない場合において加熱穿孔する印加エネルギーの総和の１／２より大きくなるように製版部６を制御する。具体的には、製版制御部２０ｄは、間引き画像データにおける画像間引き部２０ｂにより間引かれなかった黒画素に対して所定の印加エネルギーで孔版原紙Ｇを加熱穿孔するように製版部６を制御することで、片面印刷設定時において加熱穿孔する印加エネルギーの総和の１／２の印加エネルギーを供給し、さらに、間引き画像データにおける画像間引き部２０ｂにより間引かれた画素（白画素）毎に、その画素の周辺画素アドレスに応じた、孔版原紙Ｇが穿孔されない程度の予熱印加エネルギー、即ち、孔版原紙Ｇが穿孔される印加エネルギー未満である予熱印加エネルギーで孔版原紙Ｇを加熱するように製版部６を制御する。なお、印加エネルギーの総和は、「１画素当たりの印加パワー」×「１画素当たりの通電パルス幅」×「印字面全体における発熱画素（黒画素）数」で定義される。
【００７８】
製版制御部２０ｄは、その機能上、予備加熱コード決定部２０ｍと、加熱条件決定部２０ｎとを備えている。
【００７９】
予備加熱コード決定部２０ｍは、画像間引き部２０ｂにより生成された間引き画像データにおける間引かれた画素毎の周辺画素アドレスと、画素パターンテーブル記憶部１７に記憶された画素パターンテーブルとに基づいて、間引き画像データにおける画像間引き部２０ｂにより間引かれた画素（白画素）毎の予備加熱コードを決定する。
【００８０】
図９は、予備加熱コード決定部２０ｍによる予備加熱コードの決定処理を説明した図である。
【００８１】
図９に示すように、パターン１は、中心の画素を注目画素とすると、この注目画素の左隣の画素が黒画素であり、このパターン１の周辺画素アドレスは“００１００００”である。また、パターン２の周辺画素アドレスは“０１０００００”であり、パターン３の周辺画素アドレスは“０００１０００”である。
【００８２】
これらパターン１〜３における周辺画素アドレスが示す画素配列では、注目画素の上下方向（副走査方向）又は左右方向（主走査方向）に黒画素が１つしかない。そのため、この１つの黒画素は周辺の画素からの伝熱が少なく、周辺に黒画素が多い黒画素に比較して、穿孔径が小さくなる場合がある。
【００８３】
そこで、予備加熱コード決定部２０ｍは、このような周辺の画素からの伝熱が少ない黒画素の周辺にある注目画素（白画素）に対して、サーマルヘッド６２により予備加熱通電パルス幅：２００μｍで予備加熱するための予備加熱コードＰＴＰ１を決定する。具体的には、予備加熱コード決定部２０ｍは、画像間引き部２０ｂにより生成された間引き画像データにおける間引かれた画素毎の周辺画素アドレスと、画素パターンテーブル記憶部１７に記憶された画素パターンテーブルとに基づいて、上下方向（副走査方向）又は左右方向（主走査方向）に隣接する黒画素が１つしかない注目画素（白画素）に対する予備加熱コードをＰＴＰ１として決定する。
【００８４】
また、パターン４は、注目画素の上下方向（副走査方向）に隣接する画素が黒画素であり、このパターン４の周辺画素アドレスは“０１０００１０”である。また、パターン５の周辺画素アドレスは“００１１０００”であり、パターン６の周辺画素アドレスは“０１１１０１０”である。
【００８５】
これらパターン４〜６における周辺画素アドレスが示す画素配列では、注目画素の上下方向（副走査方向）又は左右方向（主走査方向）に隣接する黒画素が２つ以上あるので、この２つ以上の黒画素は周辺の画素からの伝熱がパターン１〜３における黒画素の伝熱と比較して大きい。
【００８６】
そこで、予備加熱コード決定部２０ｍは、このような黒画素に隣接する注目画素に対して、サーマルヘッド６２により予備加熱通電パルス幅：１５０μｍで予備加熱するための予備加熱コードＰＴＰ２を決定する。具体的には、予備加熱コード決定部２０ｍは、画像間引き部２０ｂにより生成された間引き画像データにおける間引かれた画素毎の周辺画素アドレスと、画素パターンテーブル記憶部１７に記憶された画素パターンテーブルとに基づいて、上下方向（副走査方向）又は左右方向（主走査方向）に隣接する黒画素が２以上ある注目画素（白画素）に対する予備加熱コードをＰＴＰ２として決定する。
【００８７】
さらに、パターン７は、注目画素の上下方向（副走査方向）及び左右方向（主走査方向）に隣接する黒画素がなく、このパターン７の周辺画素アドレスは“００００１０１”である。また、パターン８の周辺画素アドレスは“００００１００”であり、パターン９の周辺画素アドレスは“０００００００”である。
【００８８】
これらパターン７〜９における周辺画素アドレスが示す画素配列では、注目画素の上下方向（副走査方向）及び左右方向（主走査方向）に隣接する黒画素がないので、予備加熱を行う必要がない。なお、パターン７及びパターン８は、注目画素に対して斜め方向に黒画素があるが、上下又は左右方向に対して距離が長く、伝熱にばらつきが生じる場合がある。そのため、製版制御部２０ｄは、斜め方向に隣接する黒画素にかかわらず、注目画素（白画素）の上下方向及び左右方向に隣接する黒画素がない場合、予備加熱を行わない。
【００８９】
具体的には、予備加熱コード決定部２０ｍは、画像間引き部２０ｂにより生成された間引き画像データにおける間引かれた画素毎の周辺画素アドレスと、画素パターンテーブル記憶部１７に記憶された画素パターンテーブルとに基づいて、上下方向（副走査方向）又は左右方向（主走査方向）に隣接する黒画素がない注目画素に対して、サーマルヘッド６２による予備加熱通電パルス幅を０μｍとするための予備加熱コードをＰＴＰ３として決定する。
【００９０】
図６に示す加熱条件決定部２０ｎは、予備加熱コード決定部２０ｍにより決定された予備加熱コードと、加熱条件テーブル記憶部１６に記憶された加熱条件テーブルとに基づいて、加熱条件を決定し、この決定された加熱条件に基づいて製版部６を制御する。これにより、製版部６は、加熱条件決定部２０ｎにより決定された加熱条件に基づいて、間引き画像データにおける画像間引き部２０ｂにより間引かれなかった黒画素に対して所定の印加エネルギーで孔版原紙Ｇを加熱穿孔すると共に、間引き画像データにおける画像間引き部２０ｂによりにより間引かれた画素（白画素）毎に、周辺画素アドレスに応じた予熱印加エネルギーで孔版原紙Ｇを加熱する。
【００９１】
次に、本発明の実施例１である両面孔版印刷装置１が備える製版部６のサーマルヘッド６２について詳細に説明する。
【００９２】
図１０は、本発明の実施例１である両面孔版印刷装置１が備える製版部６のサーマルヘッド６２の構成を示している。
【００９３】
図１０に示すように、サーマルヘッド６２の発熱体９１は、主走査方向に一列に７１６８個配列されている。各発熱体９１は、主操作方向に沿って１８５６個、１７２８個、１７２８個、１８５６個で並ぶように４ブロックに分割されて配置されており、各リード電極の一端にはそれぞれＡＮＤゲート回路９４が接続され、他端は接地されている。また、ブロック毎にラッチ部９５およびシフトレジスタ９６が設けられている。
【００９４】
このような構成のサーマルヘッド６２に対して、制御部２０の製版制御部２０ｄから、クロック信号ＣＬＫ１〜ＣＬＫ４、並びに発熱体９１を選択的に駆動するための間引き画像データＤＡＴ１〜ＤＡＴ４が供給されて、各シフトレジスタ９６に入力され、また、ラッチ信号ＬＡＴ１〜ＬＡＴ４がラッチ回路９５に入力され、さらに、ストローブ信号ＳＴＢ１〜ＳＴＢ４が各ＡＮＤゲート回路９４に入力されている。
【００９５】
孔版原紙Ｇに穿孔を行う際には、まずサーマルヘッド６２のシフトレジスタ９６にシリアルデータとして間引き画像データＤＡＴ１〜ＤＡＴ４が入力され、シリアル／パラレル変換されてラッチ信号ＬＡＴ１〜ＬＡＴ４によりラッチ部９５にラッチされる。このラッチ部９５にラッチされた間引き画像データＤＡＴ１〜ＤＡＴ４と、ストローブ信号ＳＴＢ１〜ＳＴＢ４の論理積により、各発熱体９１への通電制御が行われ、ストローブ信号が有効となる通電時には発熱体９１が発熱する。
【００９６】
なお、間引き画像データＤＡＴ１〜ＤＡＴ４は、予備加熱を行うか否かを指示する予熱データと、穿孔を行うか否かを指示する黒白データと、後述する熱履歴データとを含んでいる。また、サーマルヘッド６２の各ブロックに入力される各信号の入力タイミングは、ブロック毎に分割駆動されている。
【００９７】
図１１は、任意のブロックにおける（ａ）間引き画像データＤＡＴ（ＤＡＴ１〜ＤＡＴ４）、（ｂ）クロック信号ＣＬＫ（ＣＬＫ１〜ＣＬＫ４）、（ｃ）ラッチ信号ＬＡＴ（ＬＡＴ１〜ＬＡＴ４）、及び（ｄ）ストローブ信号ＳＴＢ（ＳＴＢ１〜ＳＴＢ４）のタイミングチャートを示している。図１１（ａ）〜（ｃ）に示すように、間引き画像データＤＡＴを介して、予熱データ６０１、白黒データ６０２、熱履歴データ６０３の順にデータがシフトレジスタ９６に供給され、ラッチ信号ＬＡＴのトリガパルスのタイミングでラッチ部９５にラッチされる。
【００９８】
ここで、熱履歴データとは熱履歴制御を行うためのデータである。一般にサーマルヘッドを使用して製版を行う場合、製版速度が高速になると発熱体に印加した熱エネルギーが十分に拡散、放出する前に次のラインの製版が開始されるため、発熱体に徐々に熱エネルギーが蓄積され、その結果、各発熱体にはそれぞれの過去の発熱履歴に応じた熱エネルギーが蓄積され、エネルギー状態にバラツキが発生し、画質劣化を生じるという問題がある。熱履歴制御は、この発熱履歴に起因した画質劣化を解消して画像を均一化するために、各発熱体およびその周辺部の発熱体の過去の発熱履歴（画像パターン）に基づいて現ラインの発熱素子の発熱量を制御するものである。なお、熱履歴データの生成については、公知技術を適用すれば良い。
【００９９】
また、ストローブ信号ＳＴＢは、ストローブ信号ＳＴＢ６０１ａ、ストローブ信号ＳＴＢ６０２ａ、ストローブ信号ＳＴＢ６０３ａを含んでおり、それぞれ、予熱データ６０１、白黒データ６０２、及び熱履歴データ６０３に対応している。そして、ストローブ信号ＳＴＢ６０１ａ、ストローブ信号ＳＴＢ６０２ａ、ストローブ信号ＳＴＢ６０３ａは、間引き画像データＤＡＴに応じて、選択的に使用される。
【０１００】
例えば、注目画素が、黒画素である場合、サーマルヘッド６２は、製版制御部２０ｄの指示に基づき、ストローブ信号ＳＴＢ６０２ａ及び熱履歴の必要に応じてストローブ信号ＳＴＢ６０３ａの区間が有効（負論理信号であり、「Low」で有効）となった場合、発熱する。また、注目画素が、白画素である場合、サーマルヘッド６２は、製版制御部２０ｄの指示に基づき、予備加熱コードにより定められる予備加熱通電パルス幅のストローブ信号ＳＴＢ６０１ａの区間が有効となった場合、発熱する。
【０１０１】
＜両面孔版印刷装置１の作用＞
次に、本発明の実施例１である両面孔版印刷装置の作用について説明する。
【０１０２】
図１２は、本発明の実施例１である両面孔版印刷装置１の処理フローを示したフローチャートである。
【０１０３】
図１２に示すように、両面孔版印刷装置１の片面両面設定部２０ａは、利用者の操作により操作部１５から、両面モードを設定する操作信号が供給されたか否かを判定する（ステップＳ１０１）。
【０１０４】
図１３は、操作部１５の表示／入力パネル２０６に表示された両面／片面モード選択画面の一例を示した図である。なお、この両面／片面モード選択画面は、利用者により操作部１５の両面／片面モードキー２０３が選択されると、表示／入力パネル２０６上に表示される。
【０１０５】
図１３に示すように、両面／片面モード選択画面上には、両面モードを選択するための両面モードキー７０１と、片面モードを選択するための片面モードキー７０２とが表示されている。
【０１０６】
そして、利用者により片面モードキー７０２が選択された場合、操作部１５は、片面モードが選択されたことを示す操作信号を制御部２０に供給し、利用者により両面モードキー７０１が選択された場合、両面モードが選択されたことを示す操作信号を制御部２０に供給する。
【０１０７】
図１２に示すステップＳ１０１において、片面モードを設定する操作信号が供給されたと判定した場合（ＮＯの場合）、製版制御部２０ｄは、加熱条件テーブル記憶部１６に記憶された加熱条件テーブルとに基づいて通常印刷時における加熱条件を決定し、この決定された加熱条件を第１のドラム４１へ装着する孔版原紙Ｇを加熱穿孔する際の加熱条件として製版部６に設定する（ステップＳ１０２）。具体的には、加熱条件決定部２０ｎが、加熱条件テーブル記憶部１６に記憶された加熱条件テーブルから、通常印刷時における加熱条件、即ち、通電パルス幅“０．５”、及び印加パワー“０．０６８７”を抽出し、この抽出された加熱条件を製版部６に設定する。
【０１０８】
一方、ステップＳ１０１において、両面モードを設定する操作信号が供給されたと判定された場合（ＹＥＳの場合）、即ち、両面／片面モード選択画面において、利用者により両面モードキー７０１が選択された場合、操作部１５は、表示／入力パネル２０６に、仕上がりモード選択画面を表示する（ステップＳ１０３）。
【０１０９】
図１４は、表示／入力パネル２０６上に表示された仕上がりモード選択画面の一例を示した図である。
【０１１０】
図１４に示すように、仕上がりモード選択画面上には、印刷用紙Ｗの表面の印刷濃度と裏面の印刷濃度とを均一に印刷、即ち印刷用紙Ｗの両面を間引き印刷により印刷するための両面均一モード選択キー７０３と、印刷用紙Ｗの表面を間引き印刷により印刷すると共に、印刷用紙Ｗの裏面を通常印刷により印刷するための裏面重視モード選択キー７０４とが表示されている。
【０１１１】
利用者により両面均一モード選択キー７０３が選択された場合、操作部１５は、両面均一モードが選択されたことを示す操作信号を制御部２０に供給し、利用者により裏面重視モード選択キー７０４が選択された場合、裏面重視モードが選択されたことを示す操作信号を制御部２０に供給する。
【０１１２】
そして、片面両面設定部２０ａは、利用者の操作により操作部１５から、両面均一モードを設定する操作信号が供給されたか否かを判定する（ステップＳ１０４）。
【０１１３】
ステップＳ１０４において、裏面重視モードが選択された場合（ＮＯの場合）、即ち、仕上がりモード選択画面上において、利用者により裏面重視モード選択キー７０４が選択された場合、製版制御部２０ｄは、加熱条件テーブル記憶部１６に記憶された加熱条件テーブルとに基づいて通常印刷時における加熱条件を決定し、この決定された加熱条件を、第２のドラム５１へ装着する孔版原紙Ｇを加熱穿孔する際の加熱条件として製版部６に設定する（ステップＳ１０５）。
【０１１４】
一方、ステップＳ１０４において、両面均一モードが選択された場合（ＹＥＳの場合）、即ち、仕上がりモード選択画面上において、利用者により両面均一モード選択キー７０３が選択された場合、画像間引き部２０ｂは、画像読み取り部２により読み取られた裏面の画像データを主走査方向１ライン単位で間引き処理を行うことで間引き画像データを生成する（ステップＳ１０６）。
【０１１５】
次に、周辺画素アドレス生成部２０ｃは、画像間引き部２０ｂにより生成された裏面の間引き画像データが供給されると、この供給された裏面の間引き画像データを主走査方向及び副走査方向に注目画素を移動し、注目画素及び周辺画素のデータに基づいて、全ての画素に対して周辺画素アドレスを生成する（ステップＳ１０７）。
【０１１６】
そして、製版制御部２０ｄは、周辺画素アドレス生成部２０ｃから供給された、裏面の間引き画像データの全画素に対する周辺画素アドレスと、画素パターンテーブル記憶部１７に記憶された画素パターンテーブルと、加熱条件テーブル記憶部１６に記憶された加熱条件テーブルとに基づいて間引き印刷時における加熱条件を決定し、この決定された加熱条件を第２のドラム５１へ装着する孔版原紙Ｇを加熱穿孔する際の加熱条件として製版部６に設定する（ステップＳ１０７）。例えば、周辺画素アドレス生成部２０ｃから供給された周辺画素アドレスが、“００１００００”である場合、注目画素が白画素であるので、予備加熱コード決定部２０ｍが、画素パターンテーブル記憶部１７に記憶された画素パターンテーブルから周辺画素アドレス“００１００００”に対応する予備加熱コード“ＰＴＰ１”を抽出する。そして、加熱条件決定部２０ｎが、加熱条件テーブル記憶部１６に記憶された加熱条件テーブルから、画素値が白画素であり、かつ抽出された予備加熱コード“ＰＴＰ１”に対応する間引き印刷時の加熱条件、即ち、予備加熱通電パルス幅“０．２”、及び印加パワー“０．０６８７”を抽出し、この抽出された加熱条件を第２のドラム５１へ装着する孔版原紙Ｇを加熱穿孔する際の加熱条件として製版部６に設定する。
【０１１７】
また、周辺画素アドレス生成部２０ｃから供給された周辺画素アドレスが、“１０００１００”である場合、注目画素が黒画素であるので、加熱条件決定部２０ｎが、加熱条件テーブル記憶部１６に記憶された加熱条件テーブルから、画素値が黒画素である間引き印刷時の加熱条件、即ち、通電パルス幅“０．５”、及び印加パワー“０．０６８７”を抽出し、この抽出された加熱条件を第２のドラム５１へ装着する孔版原紙Ｇを加熱穿孔する際の加熱条件として製版部６に設定する。
【０１１８】
次に、画像間引き部２０ｂは、画像読み取り部２により読み取られた表面の画像データを主走査方向１ライン単位で間引き処理を行うことで表面の間引き画像データを生成する（ステップＳ１０９）。
【０１１９】
そして、周辺画素アドレス生成部２０ｃは、画像間引き部２０ｂにより生成された表面の間引き画像データが供給されると、この供給された表面の間引き画像データを主走査方向及び副走査方向に注目画素を移動し、注目画素及び周辺画素のデータに基づいて、全ての画素に対して周辺画素アドレスを生成する（ステップＳ１１０）。
【０１２０】
次に、製版制御部２０ｄは、周辺画素アドレス生成部２０ｃから供給された、表面の間引き画像データの全画素に対する周辺画素アドレスと、画素パターンテーブル記憶部１７に記憶された画素パターンテーブルと、加熱条件テーブル記憶部１６に記憶された加熱条件テーブルとに基づいて間引き印刷時における加熱条件を決定し、この決定された加熱条件を第１のドラム４１へ装着する孔版原紙Ｇを加熱穿孔する際の加熱条件として製版部６に設定する（ステップＳ１１１）。例えば、周辺画素アドレス生成部２０ｃから供給された周辺画素アドレスが、“０１０００１０”である場合、注目画素が白画素であるので、予備加熱コード決定部２０ｍが、画素パターンテーブル記憶部１７に記憶された画素パターンテーブルから周辺画素アドレス“０１０００１０”に対応する予備加熱コード“ＰＴＰ２”を抽出する。そして、加熱条件決定部２０ｎが、加熱条件テーブル記憶部１６に記憶された加熱条件テーブルから、画素値が白画素であり、かつ抽出された予備加熱コード“ＰＴＰ２”に対応する間引き印刷時の加熱条件、即ち、予備加熱通電パルス幅“０．１５”及び印加パワー“０．０６８７”を抽出し、この抽出された加熱条件を第１のドラム４１へ装着する孔版原紙Ｇを加熱穿孔する際の加熱条件として製版部６に設定する。
【０１２１】
また、周辺画素アドレス生成部２０ｃから供給された周辺画素アドレスが、“１１０００１０”である場合、注目画素が黒画素であるので、加熱条件決定部２０ｎが、加熱条件テーブル記憶部１６に記憶された加熱条件テーブルから、画素値が黒画素である間引き印刷時の加熱条件、即ち、通電パルス幅“０．５”、及び印加パワー“０．０６８７”を抽出し、この抽出された加熱条件を第１のドラム４１へ装着する孔版原紙Ｇを加熱穿孔する際の加熱条件として製版部６に設定する。
【０１２２】
そして、製版制御部２０ｄは、第１のドラム４１へ装着する孔版原紙Ｇを加熱穿孔する際の加熱条件及び第２のドラム５１へ装着する孔版原紙Ｇを加熱穿孔する際の加熱条件に基づいて、製版部６に製版させる（ステップＳ１１２）。
【０１２３】
次に、本発明の実施例１である両面孔版印刷装置１において製版を行った結果について説明する。
【０１２４】
図１５は、本発明の実施例１である両面孔版印刷装置１において製版を行った孔版原紙Ｇの穿孔の状態を説明した図である。
【０１２５】
図１５では、比較のため片面印刷が選択された場合における通常印刷時における加熱条件に基づいて穿孔された孔版原紙Ｇ（穿孔結果Ａ，Ｂ）と、間引き画像データに基づいて通常印刷時における加熱条件に基づいて穿孔された孔版原紙Ｇ（穿孔結果Ｃ，Ｄ）と、間引き画像データに基づいて間引き印刷時における加熱条件に基づいて穿孔された孔版原紙Ｇ（穿孔結果Ｅ，Ｆ）とを示している。
【０１２６】
穿孔結果Ａでは、片面印刷が選択された場合における通常印刷時における加熱条件に基づいて、間引き処理することなくベタ部を穿孔しているので、これを両面印刷に適用した場合、印刷用紙Ｗの表面に印刷された画像が第２のプレスローラ５３に転写され、この第２のプレスローラ５３に転写された画像が、印刷用紙Ｗに再転写されることにより印刷用紙Ｗの表面が汚れる場合がある。
【０１２７】
穿孔結果Ｂも同様に、片面印刷が選択された場合における通常印刷時における加熱条件に基づいて、間引き処理することなく横線部を穿孔しているので、これを両面印刷に適用した場合、印刷用紙Ｗに再転写されることにより印刷用紙の表面が汚れる場合がある。
【０１２８】
穿孔結果Ｃでは、間引き処理を行うので、穿孔数は少なくなり、再転写を防止することができる。ただし、間引き処理により穿孔する黒画素の上下の画素が白画素となるため、孔版原紙Ｇの蓄熱量が少なくなり、ベタ部において十分なベタ埋まりを実現できず、図１５の拡大穿孔結果Ｃ１に示すように、孔版原紙Ｇに和紙目が顕在化する場合がある。
【０１２９】
穿孔結果Ｄでは、間引き処理を行うので、穿孔数は少なくなり、再転写を防止することができる。ただし、間引き処理により穿孔する黒画素の上下の画素が白画素となるため、孔版原紙Ｇの蓄熱量が少なくなり、穿孔径がばらつき、また不発率が高くなる場合がある。穿孔結果Ｄでは、丸印にて囲んだ穿孔結果Ｄ１に示す不発により横線が途切れる場合がある。
【０１３０】
穿孔結果Ｅでは、間引き処理を行うので、穿孔数は少なくなり、再転写を防止することができる。さらに、製版制御部２０ｄの指示に基づいて、所定の白画素について予備加熱を行うので、孔版原紙Ｇの蓄熱量の低下を防止し、ベタ部において十分なベタ埋まりを実現することができ、孔版原紙Ｇに和紙目が顕在化することを防止することができる。
【０１３１】
穿孔結果Ｆでは、穿孔結果Ｅと同様に、間引き処理を行うので、穿孔数は少なくなり、再転写を防止することができる。さらに、製版制御部２０ｄの指示に基づいて、所定の白画素について予備加熱を行うので、孔版原紙Ｇの蓄熱量の低下を防止し、穿孔径のばらつき及び不発を少なくすることができる。
【０１３２】
このように、本発明の実施例１に係る両面孔版印刷装置１によれば、両面モードが設定された場合に、間引き処理を行うと共に、この間引き画像データにおける間引かれた画素に対して、孔版原紙Ｇが穿孔される印加エネルギー未満である予熱印加エネルギーで孔版原紙Ｇを予備加熱するように製版部６を制御するので、孔版原紙Ｇの蓄熱量の低下を防止し、これにより不発やばらつきの少なく和紙目が目立たない良好な品質の孔版原紙Ｇを製版すると共に、再転写による印刷媒体の汚れを防止することができる。
【０１３３】
また、本発明の実施例１では、両面印刷が選択された場合、上流側の第１のドラム４１により印刷用紙Ｗの表面を印刷し、下流側の第２のドラム５１により印刷用紙Ｗの裏面を印刷する両面孔版印刷装置を例に挙げて説明したが、これに限らず、上流側の第１のドラム４１により印刷用紙Ｗの裏面を印刷し、下流側の第２のドラム５１により印刷用紙Ｗの表面を印刷するようにしてもよい。
【０１３４】
また、本発明の実施例１では、片面印刷が選択された場合、上流側の第１のドラム４１により印刷用紙Ｗの表面を印刷する両面孔版印刷装置を例に挙げて説明したが、これに限らず、下流側の第２のドラム５１により印刷用紙Ｗの表面を印刷するようにしてもよい。
【実施例２】
【０１３５】
本発明の実施例１では、上流側のドラムにより印刷用紙（印刷媒体）の表面を印刷し、下流側のドラムにより印刷用紙の裏面を印刷する２ドラム式の両面孔版印刷装置であって、両面印刷が設定された場合に、主走査方向１ライン単位で画像データの間引き処理を行うと共に、間引かれた画素に対して、孔版原紙が穿孔される印加エネルギー未満である予熱印加エネルギーで孔版原紙を加熱することにより製版する両面孔版印刷装置を例に挙げて説明した。
【０１３６】
しかしながら、間引き処理は、主走査方向１ライン単位に限らず、主走査方向及び副走査方向に交互に１画素ずつ画像データの間引き処理を行うようにしてもよい。
【０１３７】
そこで、本発明の実施例２では、上流側のドラムにより印刷用紙（印刷媒体）の表面を印刷し、下流側のドラムにより印刷用紙の裏面を印刷する２ドラム式の両面孔版印刷装置であって、両面印刷が設定された場合に、主走査方向及び副走査方向に交互に１画素ずつ画像データの間引き処理を行うと共に、間引かれた画素に対して、孔版原紙が穿孔される印加エネルギー未満である予熱印加エネルギーで孔版原紙を加熱することにより製版する両面孔版印刷装置を例に挙げて説明する。
【０１３８】
＜両面孔版印刷装置の構成＞
本発明の実施例２である両面孔版印刷装置１Ａは、図１に示した本発明の実施例１である両面孔版印刷装置１と同一の構成を備えている。
【０１３９】
また、本発明の実施例２に係る両面孔版印刷装置１Ａは、画像読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５と、加熱条件テーブル記憶部１６と、画素パターンテーブル１７と、制御部２０Ａとを備えている。
【０１４０】
これらの構成のうち、制御部２０Ａ以外の構成については、図２に示した本発明の実施例１に係る両面孔版印刷装置１のそれぞれ同一符号が付された構成と同一であるので、説明を省略する。
【０１４１】
制御部２０Ａは、両面孔版印刷装置１の中枢的な制御を行う。
【０１４２】
制御部２０Ａは、その機能上、片面両面設定部２０ａと、画像間引き部２０ｆと、周辺画素アドレス生成部２０ｃと、製版制御部２０ｄとを備えている。
【０１４３】
これらの構成のうち、画像間引き部２０ｆ以外の構成については、図６に示した本発明の実施例１に係る両面孔版印刷装置１の制御部２０が備えるそれぞれ同一符号が付された構成と同一であるので、説明を省略する。
【０１４４】
画像間引き部２０ｆは、片面両面設定部２０ａにより両面印刷が設定された場合に、画像読み取り部２により読み取られた画像データを主走査方向及び副走査方向に交互に１画素ずつ間引き処理を行うことで間引き画像データを生成する。
【０１４５】
図１６は、本発明の実施例２に係る両面孔版印刷装置１Ａの制御部２０Ａの画像間引き部２０ｆによる間引き処理を説明した図である。
【０１４６】
図１６では、画像読み取り部２により読み取られた画像データがベタ部と横細線とを含む場合において、それぞれについて、本発明の実施例１に係る両面孔版印刷装置１の制御部２０の画像間引き部２０ｂにより主走査１ライン単位で間引き処理された画像データと、本発明の実施例２に係る両面孔版印刷装置１Ａの制御部２０Ａの画像間引き部２０ｆにより主走査方向及び副走査方向に交互に１画素ずつ間引き処理された間引き画像データとを比較している。
【０１４７】
画像読み取り部２により読み取られた画像データのベタ部について、本発明の実施例１に係る両面孔版印刷装置１の制御部２０の画像間引き部２０ｂは、間引き結果１に示すように、主走査１ライン単位で黒画素ライン及び白画素ラインが交互になるように間引き処理を行う。
【０１４８】
一方、間引き結果２に示すように、本発明の実施例２に係る両面孔版印刷装置１Ａの制御部２０Ａの画像間引き部２０ｆは、主走査方向及び副走査方向に交互に１画素ずつ間引き処理を行うので、主走査方向及び副走査方向に黒画素及び白画素が交互に配列されることとなる。
【０１４９】
また、画像読み取り部２により読み取られた画像データの横細線について、本発明の実施例１に係る両面孔版印刷装置１の制御部２０の画像間引き部２０ｂは、主走査１ライン単位で間引くので、間引き結果３に示すように、横細線と間引く主走査ラインが一致すると、横細線が全て間引かれ、黒画素が消えてしまう場合がある。
【０１５０】
一方、間引き結果４に示すように、本発明の実施例２に係る両面孔版印刷装置１Ａの制御部２０Ａの画像間引き部２０ｆは、主走査方向及び副走査方向に交互に１画素ずつ間引き処理を行うので、横細線の全てが間引かれることなく、横細線の主走査方向に黒画素及び白画素が交互に配列される。
【０１５１】
次に、本発明の実施例２である両面孔版印刷装置１Ａにおいて製版を行った結果について説明する。
【０１５２】
図１７は、本発明の実施例２である両面孔版印刷装置１Ａにおいて製版を行った孔版原紙Ｇの穿孔の状態を説明した図である。
【０１５３】
図１７では、比較のため片面印刷が選択された場合における通常印刷時における加熱条件に基づいて穿孔された孔版原紙Ｇ（穿孔結果Ａ，Ｂ）と、間引き画像データに基づいて通常印刷時における加熱条件に基づいて穿孔された孔版原紙Ｇ（穿孔結果Ｊ，Ｋ）と、間引き画像データに基づいて間引き印刷時における加熱条件に基づいて穿孔された孔版原紙Ｇ（穿孔結果Ｌ，Ｍ）とを示している。
【０１５４】
穿孔結果Ａでは、片面印刷が選択された場合における通常印刷時における加熱条件に基づいて、間引き処理することなくベタ部を穿孔しているので、これを両面印刷に適用した場合、印刷用紙Ｗの表面に印刷された画像が第２のプレスローラ５３に転写され、この第２のプレスローラ５３に転写された画像が、印刷用紙Ｗに再転写されることにより印刷用紙Ｗの表面が汚れる場合がある。
【０１５５】
穿孔結果Ｂも同様に、片面印刷が選択された場合における通常印刷時における加熱条件に基づいて、間引き処理することなく横線部を穿孔しているので、これを両面印刷に適用した場合、印刷用紙Ｗに再転写されることにより印刷用紙の表面が汚れる場合がある。
【０１５６】
穿孔結果Ｊでは、主走査方向及び副走査方向に交互に１画素ずつ間引き処理を行うので、穿孔数は少なくなり、再転写を防止することができる。ただし、間引き処理により穿孔する黒画素の上下左右の画素が白画素となるため、孔版原紙Ｇの蓄熱量が少なくなり、ベタ部において十分なベタ埋まりを実現できず、図１７の拡大穿孔結果Ｊ１に示すように、孔版原紙Ｇに和紙目が顕在化する場合がある。
【０１５７】
穿孔結果Ｋでは、主走査方向及び副走査方向に交互に１画素ずつ間引き処理を行うので、穿孔数は少なくなり、再転写を防止することができる。ただし、間引き処理により穿孔する黒画素の上下左右の画素が白画素となるため、孔版原紙Ｇの蓄熱量が少なくなり、穿孔径がばらつき、また不発率が高くなる。穿孔結果Ｋでは、丸印にて囲んだ穿孔結果Ｋ１に示す不発により横線が途切れている。
【０１５８】
穿孔結果Ｌでは、主走査方向及び副走査方向に交互に１画素ずつ間引き処理を行うので、穿孔数は少なくなり、再転写を防止することができる。さらに、製版制御部２０ｄの指示に基づいて、所定の白画素について予備加熱を行うので、孔版原紙Ｇの蓄熱量の低下を防止し、ベタ部において十分なベタ埋まりを実現することができ、孔版原紙Ｇに和紙目が顕在化することを防止することができる。
【０１５９】
穿孔結果Ｍでは、穿孔結果Ｌと同様に、主走査方向及び副走査方向に交互に１画素ずつ間引き処理を行うので、穿孔数は少なくなり、再転写を防止することができる。さらに、製版制御部２０ｄの指示に基づいて、所定の白画素について予備加熱を行うので、孔版原紙Ｇの蓄熱量の低下を防止し、穿孔径のばらつき及び不発を少なくすることができる。
【０１６０】
このように、本発明の実施例２に係る両面孔版印刷装置１Ａによれば、両面モードが設定された場合に、間引き処理を行うと共に、この間引き画像データにおける間引かれた画素に対して、孔版原紙Ｇが穿孔される印加エネルギー未満である予熱印加エネルギーで孔版原紙Ｇを予備加熱するように製版部６を制御するので、孔版原紙Ｇの蓄熱量の低下を防止し、これにより不発やばらつきの少なく和紙目が目立たない良好な品質の孔版原紙Ｇを製版すると共に、再転写による印刷媒体の汚れを防止することができる。
【０１６１】
さらに、本発明の実施例２に係る両面孔版印刷装置１Ａによれば、主走査方向及び副走査方向に交互に１画素ずつ間引き処理を行うので、画像読み取り部２により読み取られた画像データに横細線が含まれる場合であっても、横細線の全てが間引かれることなく横細線の主走査方向に黒画素及び白画素が交互に配列され、良好な孔版原紙Ｇを製版することができる。
【実施例３】
【０１６２】
本発明の実施例３では、上流側のドラムにより印刷用紙（印刷媒体）の表面を印刷し、下流側のドラムにより印刷用紙の裏面を印刷する２ドラム式の両面孔版印刷装置であって、両面印刷が設定された場合に、間引き処理を行うと共に、間引かれなかった画素に対して、片面印刷設定時において加熱穿孔する際の印加エネルギーより大きい印加エネルギーで加熱穿孔する両面孔版印刷装置を例に挙げて説明する。
【０１６３】
＜両面孔版印刷装置の構成＞
本発明の実施例３である両面孔版印刷装置１Ｂは、図１に示した本発明の実施例１である両面孔版印刷装置１と同一の構成を備えている。
【０１６４】
本発明の実施例３に係る両面孔版印刷装置１Ｂは、画像読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５と、加熱条件テーブル記憶部１８と、制御部２０Ｂとを備えている。
【０１６５】
これらの構成のうち、画像読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５については、図２に示した本発明の実施例１に係る両面孔版印刷装置１のそれぞれ同一符号が付された構成と同一であるので、説明を省略する。
【０１６６】
本発明の実施例３に係る両面孔版印刷装置１Ｂが備える加熱条件テーブル記憶部１８は、利用者の操作による設定に応じたサーマルヘッド６２の加熱条件を加熱条件テーブルとして記憶する。
【０１６７】
図１８は、加熱条件テーブル記憶部１８に記憶された加熱条件テーブルの一例を示した図である。
【０１６８】
図１８に示すように、印刷設定９０３として、通常印刷時９０１及び間引き印刷時９０２毎に、加熱条件である通電パルス幅９０４、及び印加パワー９０５とが関連づけられて加熱条件テーブルとして記憶されている。なお、加熱条件テーブルは、利用者による操作部１５の操作により、変更することできる。例えば、間引き印刷時の印加パワー９０５を、通常印刷時の１０％アップである０．０７５６（Ｗ／ｄｏｔ）から、通常印刷時の５％アップである０．０７２１（Ｗ／ｄｏｔ）へ変更し、加熱条件テーブル記憶部１８に記憶させることもできる。
【０１６９】
本発明の実施例３に係る両面孔版印刷装置１Ｂが備える制御部２０Ｂは、両面孔版印刷装置１Ｂの中枢的な制御を行う。
【０１７０】
図１９は、本発明の実施例３に係る両面孔版印刷装置１Ｂの制御部２０Ｂの構成を説明した図である。
【０１７１】
図１９に示すように、制御部２０Ｂは、その機能上、片面両面設定部２０ａと、画像間引き部２０ｂと、製版制御部２０ｅとを備えている。
【０１７２】
なお、片面両面設定部２０ａと、画像間引き部２０ｂとは、本発明の実施例１に係る両面孔版印刷装置１の制御部２０が備えるそれぞれ同一符号が付された構成と同一であるので、説明を省略する。
【０１７３】
製版制御部２０ｅは、画像間引き部２０ｂにより間引かれた間引き画像データに基づいて、孔版原紙Ｇを加熱穿孔する際の印加エネルギーの総和を、片面印刷設定時、即ち間引き処理されない場合において加熱穿孔する印加エネルギーの総和の１／２より大きくなるように製版部６を制御する。具体的には、製版制御部２０ｅは、間引き画像データにおける画像間引き部２０ｂにより間引かれなかった黒画素、即ち、画像間引き部２０ｂにより間引かれることなく間引き画像データとして残った黒画素に対して、片面印刷設定時において孔版原紙Ｇを加熱穿孔する際の印加エネルギーより大きい印加エネルギーで孔版原紙Ｇを加熱するように製版部６を制御する。
【０１７４】
＜両面孔版印刷装置１Ｂの作用＞
次に、本発明の実施例３である両面孔版印刷装置１Ｂの作用について、図１２を参照して説明する。
【０１７５】
本発明の実施例２である両面孔版印刷装置１Ａでは、図１２に示した本発明の実施例１である両面孔版印刷装置１の処理フローのうち、ステップＳ１０７と及びステップＳ１１０の処理をスキップする。また、本発明の実施例３である両面孔版印刷装置１Ｂの処理フローでは、ステップＳ１０２、ステップＳ１０５、ステップＳ１１１における処理が異なる。そのため、ステップＳ１０２、ステップＳ１０５、ステップＳ１０８、及びステップＳ１１１における処理について説明する。
【０１７６】
図１２に示すステップＳ１０２では、ステップＳ１０１において、片面モードを設定する操作信号が供給されたと判定した場合（ＮＯの場合）、製版制御部２０ｅは、加熱条件テーブル記憶部１８に記憶された加熱条件テーブルとに基づいて通常印刷時における加熱条件を決定し、この決定された加熱条件を第１のドラム４１へ装着する孔版原紙Ｇを加熱穿孔する際の加熱条件として製版部６に設定する。具体的には、製版制御部２０ｅは、加熱条件テーブル記憶部１８に記憶された加熱条件テーブルから、通常印刷時における加熱条件、即ち、通電パルス幅“０．５”、及び印加パワー“０．０６８７”を抽出し、この抽出された加熱条件を製版部６に設定する。
【０１７７】
図１２に示すステップＳ１０５では、ステップＳ１０４において、裏面重視モードが選択された場合（ＮＯの場合）、即ち、仕上がりモード選択画面上において、利用者により裏面重視モード選択キー７０４が選択された場合、製版制御部２０ｅは、加熱条件テーブル記憶部１８に記憶された加熱条件テーブルとに基づいて通常印刷時における加熱条件を決定し、この決定された加熱条件を、第２のドラム５１へ装着する孔版原紙Ｇを加熱穿孔する際の加熱条件として製版部６に設定する。
【０１７８】
図１２に示すステップＳ１０８では、製版制御部２０ｅは、加熱条件テーブル記憶部１８に記憶された加熱条件テーブルとに基づいて間引き印刷時における加熱条件を決定し、この決定された加熱条件を第２のドラム５１へ装着する孔版原紙Ｇを加熱穿孔する際の加熱条件として製版部６に設定する。具体的には、製版制御部２０ｅは、加熱条件テーブル記憶部１８に記憶された加熱条件テーブルから、間引き印刷時における加熱条件、即ち、通電パルス幅“０．５”、及び印加パワー“０．０７５６”を抽出し、この抽出された加熱条件を製版部６に設定する。
【０１７９】
図１２に示すステップＳ１１１では、製版制御部２０ｄは、加熱条件テーブル記憶部１８に記憶された加熱条件テーブルとに基づいて間引き印刷時における加熱条件を決定し、この決定された加熱条件を第１のドラム４１へ装着する孔版原紙Ｇを加熱穿孔する際の加熱条件として製版部６に設定する。
【０１８０】
以上のように、本発明の実施例３に係る両面孔版印刷装置１Ｂによれば、両面モードが設定された場合に、間引き処理を行うと共に、間引かれなかった黒画素に対して、片面印刷設定時において孔版原紙Ｇを加熱穿孔する際の印加エネルギーより大きい印加エネルギーで孔版原紙Ｇを加熱するように製版部６を制御するので、本発明の実施例１に係る両面孔版印刷装置１と同様に、図１５に示したように、孔版原紙Ｇの蓄熱量の低下を防止し、これにより不発やばらつきの少なく和紙目が目立たない良好な品質の孔版原紙Ｇを製版すると共に、再転写による印刷媒体の汚れを防止することができる。
【０１８１】
なお、本発明の実施例３に係る両面孔版印刷装置１Ｂの制御部２０Ｂは、その機能上、画像間引き部２０ｂを備える構成としたが、画像間引き部２０ｂの代わりに、本発明の実施例２に係る両面孔版印刷装置１Ａの制御部２０Ａが備える画像間引き部２０ｆを備える構成としてもよい。
【符号の説明】
【０１８２】
１，１Ａ，１Ｂ…両面孔版印刷装置
２…画像読み取り部
３…給紙部
４…第１の印刷部
５…第２の印刷部
６…製版部
８…第１の排版部
９…第２の排版部
１０…反転部
１１…排紙部
１５…操作部
１６，１８…加熱条件テーブル記憶部
１７…画素パターンテーブル記憶部
２０，２０Ａ，２０Ｂ…制御部
２０ａ…片面両面設定部
２０ｂ，２０ｆ…画像間引き部
２０ｃ…周辺画素アドレス生成部
２０ｄ，２０ｅ…製版制御部
２０ｍ…予備加熱コード決定部
２０ｎ…加熱条件決定部
３１…給紙台
４１…第１のドラム
４３…第１のプレスローラ
５１…第２のドラム
５３…第２のプレスローラ
６１…原紙収容部
６２…サーマルヘッド
６３…プラテンロール
【図１】
2010173097.tif 000003
【図２】
2010173097.tif 000004
【図３】
2010173097.tif 000005
【図４】
2010173097.tif 000006
【図５】
2010173097.tif 000007
【図６】
2010173097.tif 000008
【図７】
2010173097.tif 000009
【図８】
2010173097.tif 000010
【図９】
2010173097.tif 000011
【図１０】
2010173097.tif 000012
【図１１】
2010173097.tif 000013
【図１２】
2010173097.tif 000014
【図１３】
2010173097.tif 000015
【図１４】
2010173097.tif 000016
【図１５】
2010173097.tif 000017
【図１６】
2010173097.tif 000018
【図１７】
2010173097.tif 000019
【図１８】
2010173097.tif 000020
【図１９】
2010173097.tif 000021